(57)【要約】  ディスク装置１００は、トラバースメカ２００のＴＭカバー部材３００における情報処理部２４０の移動経路に対応した処理開口部３０１で、光ディスクの回転方向における下流側に位置する下流側開口縁３０２Ａに、補強部３１０を設ける。補強部３１０は、光ディスクに対して離間する側に段差部３１１を有した段差状に形成する。光ディスクを高速回転で生じる負圧状態によりＴＭカバー部材３００が撓む力に抗する強度が向上する。段差部３１１により、光ディスクに向けた気流が発生し、撓みの発生を防止する。撓みによる光ディスクとの接触を防止できる。
2008032399.tif 000002
【特許請求の範囲】
【請求項１】
ディスク状の記録媒体を収納可能なケース体の前記記録媒体の収納位置近傍に設けられるとともに、前記記録媒体を回転可能に保持する記録媒体保持部と、
前記記録媒体保持部に前記記録媒体を保持した状態で前記記録媒体のディスク面に略平行するディスク対向面を有し、処理開口部が開口形成されたカバー部材と、
このカバー部材の処理開口部を介して前記記録媒体に記録された情報を読み込む読込処理および前記記録媒体に情報を書き込む書込み処理のうち少なくともいずれか一方の処理を実施するとともに、前記記録媒体保持部にて保持された前記記録媒体の径方向に略沿って移動可能に設けられた情報処理部と、
前記カバー部材の処理開口部の開口縁および前記処理開口部の近傍のうちの少なくともいずれか一方に設けられた補強部と、
を具備したことを特徴とした記録媒体駆動装置。
【請求項２】
請求項１に記載の記録媒体駆動装置であって、
前記補強部は、前記記録媒体の回転方向における下流側に位置する前記処理開口部の開口縁およびこの開口縁の近傍のうちの少なくともいずれか一方に設けられた
ことを特徴とした記録媒体駆動装置。
【請求項３】
請求項１または請求項２に記載の記録媒体駆動装置であって、
前記補強部は、前記記録媒体保持部に保持された前記記録媒体における少なくとも外周縁側に対向する位置に設けられた
ことを特徴とした記録媒体駆動装置。
【請求項４】
請求項１ないし請求項３のいずれかに記載の記録媒体駆動装置であって、
前記補強部は、前記記録媒体保持部に保持された前記記録媒体に対して離間する方向へ突出する状態に設けられた
ことを特徴とした記録媒体駆動装置。
【請求項５】
請求項１または請求項４のいずれかに記載の記録媒体駆動装置であって、
前記補強部は、前記ディスク対向面および前記記録媒体保持部に保持された前記記録媒体の対向方向で肉厚に形成された
ことを特徴とした記録媒体駆動装置。
【請求項６】
請求項５に記載の記録媒体駆動装置であって、
前記補強部は、前記開口縁から折返し形成された
ことを特徴とした記録媒体駆動装置。
【請求項７】
請求項５に記載の記録媒体駆動装置であって、
前記補強部は、補強部材が接着されて形成された
ことを特徴とした記録媒体駆動装置。
【請求項８】
請求項１ないし請求項４のいずれかに記載の記録媒体駆動装置であって、
前記補強部は、前記処理開口部の開口縁に略沿い、かつ前記記録媒体の回転方向で段差状に折曲形成された
ことを特徴とした記録媒体駆動装置。
【請求項９】
請求項８に記載の記録媒体駆動装置であって、
前記補強部は、エンボス加工により前記カバー部材における前記ディスク対向面および前記記録媒体保持部に保持された前記記録媒体の対向方向の一面側に突出形成された
ことを特徴とした記録媒体駆動装置。
【請求項１０】
請求項１ないし請求項４のいずれかに記載の記録媒体駆動装置であって、
前記補強部は、前記処理開口部の開口縁に折り曲げ形成された
ことを特徴とした記録媒体駆動装置。
【請求項１１】
請求項１ないし請求項１０のいずれかに記載の記録媒体駆動装置であって、
前記カバー部材は、軽量金属にて形成された
ことを特徴とした記録媒体駆動装置。
【請求項１２】
ディスク状の記録媒体を収納可能なケース体と、
前記筐体の前記記録媒体の収納位置近傍に設けられる請求項１ないし請求項１１のいずれかに記載の記録媒体駆動装置と、
を具備したことを特徴としたディスク装置。
【発明の詳細な説明】
【技術分野】
【０００１】
本発明は、ディスク状の記録媒体を回転可能に保持する記録媒体駆動装置、およびこの記録媒体駆動装置を備えたディスク装置に関する。
【背景技術】
【０００２】
従来、ノート型パソコンなどに装着可能な薄型のディスクドライブ、いわゆるスリムディスクドライブが知られている（例えば、特許文献１）。【０００３】
特許文献１に記載のものは、円盤状のＣＤ−ＲＯＭを駆動する薄型ディスク装置であり、この薄型ディスク装置は、メインシャーシと、このメインシャーシから引き出し可能に形成されたトレイとを備えている。このトレイには、ディスクを収容する略円状の収容凹部が設けられ、この収容凹部の中心付近を含む半径方向に形成された切欠凹部に、フィード組立が設けられている。そして、このフィード組立は、ディスクが装着されるテーブルと、このテーブル付近から外側に向かって設けられる切り込みを備えたディスク対向面（特許文献１の図４参照）と、切り込みに沿って移動可能なピックアップ装置とを備えている。【０００４】
【特許文献１】特開２００２−２６９９４９号公報（第３頁ないし第４頁、および図４参照）
【発明の開示】
【発明が解決しようとする課題】
【０００５】
ところで、上記特許文献１のような従来の構成では、テーブルにディスクを装着した際に、ディスク対向面とディスク面との距離寸法が小さくなるため、テーブルを回転させてディスクを回転させると、ディスク対向面とディスク面との間において負圧が発生するおそれがある。このため、負圧により、ディスク対向面やディスクが互いに近接する方向に撓み、ディスク対向面とディスクとが接触するおそれがある問題がある。【０００６】
本発明は、上記問題に鑑みて、ディスク状の記録媒体を良好に回転駆動させる記録媒体駆動装置およびディスク装置を提供することを１つの目的とする。
【課題を解決するための手段】
【０００７】
本発明に記載の記録媒体駆動装置は、ディスク状の記録媒体を収納可能なケース体の前記記録媒体の収納位置近傍に設けられるとともに、前記記録媒体を回転可能に保持する記録媒体保持部と、前記記録媒体保持部に前記記録媒体を保持した状態で前記記録媒体のディスク面に略平行するディスク対向面を有し、処理開口部が開口形成されたカバー部材と、このカバー部材の処理開口部を介して前記記録媒体に記録された情報を読み込む読込処理および前記記録媒体に情報を書き込む書込み処理のうち少なくともいずれか一方の処理を実施するとともに、前記記録媒体保持部にて保持された前記記録媒体の径方向に略沿って移動可能に設けられた情報処理部と、前記カバー部材の処理開口部の開口縁および前記処理開口部の近傍のうちの少なくともいずれか一方に設けられた補強部と、を具備したことを特徴とする。【０００８】
本発明に記載のディスク装置は、ディスク状の記録媒体を収納可能なケース体と、前記筐体の前記記録媒体の収納位置近傍に設けられる請求項１ないし請求項１１のいずれかに記載の記録媒体駆動装置と、を具備したことを特徴とする。
【図面の簡単な説明】
【０００９】
【図１】本発明の一実施形態に係るディスク装置の内部の概略を示す平面図である。
【図２】前記実施形態におけるディスク装置のトレイを引き出した状態におけるディスク装置の内部を示す平面図である。
【図３】前記実施形態におけるディスク装置を構成するトラバースメカのＴＭカバー部材を取り外した平面図である。
【図４】前記実施形態におけるＴＭカバー部材が設けられたトラバースメカの平面図である。
【図５】前記実施形態におけるＴＭカバー部材の下流側開口縁近傍を示す断面図である。
【図６】他の実施形態におけるＴＭカバー部材の下流側開口縁近傍を示す断面図である。
【図７】さらに他の実施形態におけるＴＭカバー部材の下流側開口縁近傍を示す断面図である。
【図８】さらに他の実施形態におけるＴＭカバー部材の下流側開口縁近傍を示す断面図である。
【図９】さらに他の実施形態におけるＴＭカバー部材の下流側開口縁近傍を示す断面図である。
【図１０】さらに他の実施形態におけるＴＭカバー部材の下流側開口縁近傍を示す断面図である。
【図１１】さらに他の実施形態におけるＴＭカバー部材が設けられたトラバースメカの平面図である。
【図１２】さらに他の実施形態におけるＴＭカバー部材の下流側開口縁近傍を示す断面図である。
【符号の説明】
【００１０】
１０  …記録媒体としての光ディスク
１００…ディスク装置
１１０…ケース体
２００…記録媒体駆動装置としてのトラバースメカ
２２１…記録媒体保持部としてのターンテーブル
２４０…情報処理部
３００…カバー部材としてのＴＭ（トラバースメカ）カバー部材
３０１…処理開口部
３０２…開口縁
３０２Ａ…下流側開口縁
３０３…ディスク対向面
３１０…補強部
【発明を実施するための最良の形態】
【００１１】
以下、本発明の一実施形態を図面に基づいて説明する。
図１は、本発明の一実施形態に係るディスク装置の内部の概略を示す平面図である。図２は、ディスク装置のトレイを引き出した状態におけるディスク装置の内部を示す平面図である。図３は、ディスク装置を構成するトラバースメカのＴＭカバー部材を取り外した平面図である。図４は、ＴＭカバー部材が設けられたトラバースメカの平面図である。図５は、ＴＭカバー部材の一部を断面した断面図である。【００１２】
〔ディスク装置の構成〕
図１および図２において、１００は、本発明の一実施形態にかかるディスク装置である。このディスク装置１００は、例えばノート型のパーソナルコンピュータなどの携帯型の電気機器や、車両などに搭載される電気機器などに装着される、いわゆるスリムディスク装置（或いはスリムディスクドライブ）と称されるものである。
このディスク装置１００は、ディスク状の記録媒体における少なくとも一面に設けられた図示しない記録面に記録された情報を読み込む読込処理、および記録面へ各種情報を記録する記録処理のうち少なくとも一方の処理をする。ここで、このディスク状の記録媒体としては、例えば、ＣＤ(Compact Disc)やＤＶＤ(Digital Versatile Disc)あるいはＢＤ（Blu-ray Disc：ブルーレイディスク）またはＨＤ−ＤＶＤ（High Definition DVD）などの光ディスク１０（図４参照）、光磁気ディスク、磁気ディスクなどの各種構成を例示することができる。
そして、ディスク装置１００は、例えば金属製で内部空間を有し一側面に図示しない挿排口が設けられた略四角箱状のケース体１１０を有している。また、ケース体１１０内には、トレイ部１２０と、このトレイ部１２０をケース体１１０の開口を介して進退させる搬送手段１３０と、ディスク装置１００全体の動作を制御する図示しない制御回路部と、が配設されている。【００１３】
トレイ部１２０は、トレイ１２１と、化粧板１２２と、を備えている。
トレイ１２１は、例えば合成樹脂などにて略板状に形成されている。そして、トレイ１２１には、略中央部に装着開口１２１Ａが開口形成されている。
化粧板１２２は、トレイ１２１の一縁に設けられ、搬送手段１３０にてケース体１１０内に後退された状態でケース体１１０の開口を閉塞する合成樹脂などにて細長板状に形成されている。
そして、トレイ部１２０には、トレイ１２１の装着開口１２１Ａに一部が臨む状態に記録媒体駆動部としてのトラバースメカ２００が配設されている。【００１４】
搬送手段１３０は、ケース体１１０内に配設されたガイドレール１３１と、図示しない付勢手段と、図示しない付勢解除手段と、などを備えている。
ガイドレール１３１は、トレイ部１２０の開口を介した進退方向に沿って配設され、トレイ部１２０の進退移動を案内誘導する。
付勢手段は、例えばばね部材などで、トレイ部１２０がケース体１１０内に後退された状態で弾性変形され、弾性変形による復元力をトレイ部１２０が開口を介して進出する状態に作用させる。
付勢解除手段は、トレイ部１２０がケース体１１０内に後退されて化粧板１２２が開口を閉塞した状態でトレイ部１２０に設けられた図示しない係脱手段に係合する。そして、付勢解除手段は、例えば化粧板１２２に配設されたイジェクトボタンの操作など、トレイ部１２０の進出要求に応じて係脱手段の係合状態を解除する。【００１５】
トレイ部１２０に配設されたトラバースメカ２００は、図３および図４に示すように、枠状に形成された台座部２１０を備えている。この台座部２１０には、周縁近傍に位置して、ディスク回転駆動手段２２０が配設されている。
このディスク回転駆動手段２２０は、スピンドルモータである図示しない回転用電動モータと、この回転用電動モータの出力軸に一体的に設けられた略円盤状の記録媒体保持部としてのターンテーブル２２１と、を備えている。
ターンテーブル２２１は、光ディスク１０の略中心位置に形成される図示しない装着孔を係脱可能なディスク係脱部２２２を備えている。そして、ターンテーブル２２１は、このディスク係脱部２２２に光ディスク１０の装着孔を係合させることで、光ディスク１０を回転可能に保持する。このディスク回転駆動手段２２０は、制御回路部に電気的に接続され、制御回路部から入力される所定の信号に基づいて駆動される。すなわち、制御回路部から所定の信号が入力されると、回転用電動モータが駆動され、これにより、ターンテーブル２２１は、図４に示すように、例えば時計回り方向に回転され、ターンテーブル２２１に装着された光ディスク１０も時計回り方向に回転される。【００１６】
また、台座部２１０には、図３に示すように、処理移動手段２３０が配設されている。
処理移動手段２３０は、軸方向が略平行に台座部２１０に配設された一対のガイドシャフト２３１と、例えばステッピングモータである移動用電動モータ２３２と、を備えている。
移動用電動モータ２３２の図示しない出力軸には、外周面に螺旋状の係合溝２３２Ｂが設けられたリードスクリュ２３２Ａが同軸上に一体に連結されている。【００１７】
さらに、台座部２１０には、処理移動手段２３０に支持された情報処理部２４０が配設されている。
この情報処理部２４０は、一対のガイドシャフト２３１間に架橋する状態で保持される移動保持部２４１を備えている。この移動保持部２４１には、ガイドシャフト２３１を移動可能に嵌挿する保持部２４１Ａと、移動用電動モータ２３２の出力軸に連結されたリードスクリュ２３２Ａの係合溝２３２Ｂに係合する移動規制爪部２４１Ｂと、を備えている。そして、情報処理部２４０は、例えば図示しないフレキシブル回路により制御回路部に電気的に接続されている。
また、この情報処理部２４０は、図示しない光源と、この光源からの光を収束するレンズ２５１と、光ディスク１０で反射された出射光を検出する図示しない光センサとを有する光ピックアップ２５０を備えている。この光ピックアップ２５０は、情報処理部２４０に接続されるフレキシブル回路に電気的に接続され、このフレキシブル回路を介して制御回路部に接続されている。そして、光ピックアップ２５０は、制御回路部の制御により、光ディスク１０の記録面１１（図５参照）に記録された各種情報を読み取って出力回路部へ出力する読取処理や、制御回路部からの各種情報を記録面１１に記録する記録処理を実施する。【００１８】
そして、台座部２１０の上面側には、図４に示すように、カバー部材としてのＴＭカバー部材３００が設けられている。
このＴＭカバー部材３００は、例えばアルミなどの軽量金属により形成され、トラバースメカ２００のディスク回転駆動手段２２０の回転用電動モータ、処理移動手段２３０、情報処理部２４０の一部、フレキシブル回路を覆う状態に台座部２１０に固定されている。そして、このＴＭカバー部材３００は、フレキシブル回路の光ディスク１０側への突出や、光ディスク１０の情報処理部２４０への接触などを防止する。
そして、ＴＭカバー部材３００は、ターンテーブル２２１に光ディスク１０を係合した状態で、この光ディスク１０の記録面１１と所定間隔を開けて、この記録面１１と略平行して対向するディスク対向面３０３を備えている。
また、ＴＭカバー部材３００には、情報処理部２４０の光ピックアップ２５０の移動経路、すなわちターンテーブル２２１の径方向に沿って処理開口部３０１が設けられている。この処理開口部３０１により、光ピックアップ２５０のレンズ２５１が光ディスク１０の記録面１１に対向し、記録面１１に所定波長の光を射出可能となっている。【００１９】
さらに、ＴＭカバー部材３００の処理開口部３０１は、光ピックアップ２５０の移動方向と略平行して互いに対向する一対の長手状の開口縁３０２を有している。これらの開口縁３０２のうち、処理開口部３０１における光ディスク１０の回転方向の下流側に位置する下流側開口縁３０２Ａ（本実施形態では、図４における紙面左側の開口縁３０２）には、光ディスク１０をターンテーブル２２１に係合させた状態で光ディスク１０の外周部に対向する位置に、補強部３１０が設けられている。
この補強部３１０は、図５に示すように、上面から光ディスク１０の記録面１１までの距離寸法が、ＴＭカバー部材３００の他部における光ディスク１０とのディスク対向面３０３から記録面１１までの距離寸法よりも大きくなるように、例えばエンボス加工などにより段差状に形成されている。すなわち、補強部３１０とディスク対向面３０３との間には、所定高さの段差部３１１が形成される。この補強部３１０により、処理開口部３０１の下流側開口縁３０２Ａは、厚さ方向で折曲形成された状態となり、厚さ方向への外力に抗する強度が向上する。さらに、補強部３１０および段差部３１１により、ターンテーブル２２１が回転駆動された際、光ディスク１０の高速回転により発生する空気流が、段差部３１１に当たって光ディスク１０の記録面１１側へ向けた気流となり、光ディスク１０の記録面１１とＴＭカバー部材３００との間に、乱流が発生する。【００２０】
〔ディスク装置の動作〕
次に、上記ディスク装置の動作について説明する。
なお、動作として光ディスク１０の回転駆動動作の状況について説明する。【００２１】
トレイ部１２０に配設されるトラバースメカ２００のターンテーブル２２１に光ディスク１０が係合され、このトレイ部１２０がケース体１１０内に格納された状態で、例えば利用者の操作により、装着された光ディスク１０に所定の処理を実施する旨の信号が入力されると、ディスク装置１００の制御回路部は、ディスク回転駆動手段２２０に所定の信号を入力する。これにより、ディスク回転駆動手段２２０の回転用電動モータが駆動し、ターンテーブル２２１が例えば５０００ｒｐｍ以上で高速回転され、ターンテーブル２２１に装着された光ディスク１０も高速回転される。
この後、制御回路部は、情報処理部２４０の移動制御を実施するとともに、光ピックアップ２５０のレンズ２５１から所定波長の光が光ディスク１０の記録面１１に射出され、光センサにて記録面１１で反射された光を受光することにより光ディスク１０に所定の処理を実施する。【００２２】
ここで、光ディスク１０の回転により、光ディスク１０とトラバースメカ２００のＴＭカバー部材３００との間に光ディスク１０の回転方向に沿って空気流が生じる。このため、ＴＭカバー部材３００と光ディスク１０との間が、他の部位より、負圧の状態が発生しやすくなる。特に、光ディスク１０は高速回転されるため、光ディスク１０の外周側は、内周側に比べて接線方向の移動速度が速くなり、空気流の流速も速くなって、負圧の状態が発生し、特に、光ディスク１０の回転方向における下流側のＴＭカバー部材３００の下流側開口縁３０２Ａの周縁部が光ディスク１０に近接する方向に撓ませる力が作用する。
ところで、下流側のＴＭカバー部材３００の下流側開口縁３０２Ａは、補強部３１０により、負圧により撓む力に抗する強度が向上し、撓んで光ディスク１０と接触することが防止される。
さらには、光ディスク１０の高速回転により発生する空気流が、段差部３１１に当たって光ディスク１０の記録面１１側へ向けた気流となる乱流が発生する。このことにより、さらにＴＭカバー部材３００の撓みによる光ディスク１０との接触が防止される。【００２３】
〔ディスク装置の作用効果〕
上述したように、上記一実施形態では、ディスク装置１００におけるトラバースメカ２００のＴＭカバー部材３００に、補強部３１０を設けている。
このため、例えば光ディスク１０の情報処理を実施する際に光ディスク１０を高速回転させた際に生じ得る負圧状態により、ＴＭカバー部材３００の特に下流側開口縁３０２Ａ近傍が光ディスク１０に向けて撓んで接触することを防止できる。したがって、例えば光ディスク１０が接触により傷付くなどの損傷を生じることなく、光ディスク１０を良好に回転駆動させることができる。
特に、ＴＭカバー部材３００を例えばアルミニウム合金などの比較的に軟質である軽量金属にて形成しても、補強部３１０により撓みなどの変形を防止できるので、軽量金属の利用により、トラバースメカ２００およびディスク装置１００を軽量化することができ、ＴＭカバー部材３００の加工性も向上して製造性を向上でき、製造コストも低下させることができる。【００２４】
そして、補強部３１０は、処理開口部３０１における下流側開口縁３０２Ａに設けられている。
このため、特に負圧状態の発生により撓みにて接触し易い位置を補強でき、効率よく簡単な構成で、接触による不都合を防止でき、良好な回転駆動が容易に得られる。【００２５】
また、補強部３１０は、下流側開口縁３０２Ａにおける光ディスク１０の外周部に対向する位置近傍に設けられている。
このため、特に線速度が速くなる光ディスク１０の外周側に対応し負圧状態が発生し易く撓みが発生しやすい部分を補強でき、効率よく簡単な構成で、接触による不都合を防止でき、良好な回転駆動が容易に得られる。【００２６】
さらに、補強部３１０は、ターンテーブル２２１に保持された光ディスク１０に対して、反対側となる離間する方向へ突出する状態に折曲形成している。
このため、補強部３１０がディスク対向面３０３から光ディスク１０に向けて突出せず、仮に負圧状態の発生により光ディスク１０がＴＭカバー部材３００側に撓む状態となっても、補強部３１０が接触することを防止できる。
さらには、離間する方向へエンボス加工、すなわち段差部３１１が形成される状態に段差状に形成している。このことにより、光ディスク１０の高速回転により発生する空気流が、段差部３１１に当たって光ディスク１０の記録面１１側へ向けた気流となる乱流が発生する。したがって、乱流により互いに離間する方向に力が作用することとなり、ＴＭカバー部材３００および光ディスク１０の少なくともいずれか一方が撓んで接触することを確実に防止できる。【００２７】
また、補強部３１０は、エンボス加工により形成している。
このため、例えば外縁形状や処理開口部３０１の形成などのＴＭカバー部材３００の形成時に同時に一動作で形成でき、補強部３１０を形成するための別工程を必要とせず、製造性が損なわれることなく補強できる。【００２８】
そして、ケース体１１０の光ディスク１０の収納位置の近傍にトラバースメカ２００が配置されるディスク装置１００に、上記のような補強部３１０を有するＴＭカバー部材３００を設けている。
光ディスク１０が高速回転されて負圧状態が発生、特に、スリムドライブタイプのディスク装置１００では、光ディスク１０とＴＭカバー部材３００の間隙が狭く、光ディスク１０とＴＭカバー部材３００との間で負圧が発生し易い構成でも、確実に光ディスク１０とＴＭカバー部材３００との接触を防止することができる。【００２９】
〔実施形態の変形〕
なお、本発明は、上述した一実施形態に限定されるものではなく、本発明の目的を達成できる範囲で以下に示される変形をも含むものである。【００３０】
すなわち、上記一実施形態では、ディスク装置１００は、ノート型パーソナルコンピュータや車載用のオーディオ機器、あるいはナビゲーション装置などの電気機器に搭載可能なスリムドライブタイプのディスク装置１００を例示したが、これに限定されない。例えば、上記したように、デスクトップ型パーソナルコンピュータなどに搭載される比較的大型のディスク装置にも適用することができる。さらには、例えばゲーム機や、映像データの録画再生処理を実施する、いわゆるビデオ装置などに装着されるディスク装置にも適用できる。
また、ケース体１１０に進退自在に設けられるトレイ部１２０にトラバースメカ２００を設ける構成のディスク装置１００を例示したが、例えば、光ディスク１０をスリットから直接ケース体内に挿入するいわゆるスロットインタイプのディスク装置であってもよい。この場合、例えばケース体内部にトラバースメカ２００を揺動可能に設け、このトラバースメカ２００の上面側、すなわち挿入された光ディスク１０と対向する側に、補強部３１０を有したＴＭカバー部材３００を設ければよい。【００３１】
そして、補強部３１０としては、下流側開口縁３０２Ａに設けて説明したが、処理開口部３０１における光ディスク１０の回転方向の上流側の開口縁３０２にも設けてもよい。
そして、エンボス加工に限らず、各種加工方法を利用できる。
さらには、光ディスク１０の外周側に対応して設けたが、例えば下流側開口縁３０２Ａの全域に設けてもよい。このように、全域に設けることにより、例えば異径の光ディスク１０が装着される構成でも適用できる。
そして、下流側開口縁３０２Ａの縁あるいは縁近傍に設けるのみならず、ＴＭカバー部材３００の略全面に設けてもよい。【００３２】
また、補強部３１０としては、図６に示すように、断面波形状に複数段で折曲形成してもよい。
さらには、いわゆる階段状に複数段で折曲形成してもよい。
これら複数段に形成することにより、より撓みに対する強度を向上でき、より確実に接触による不都合を防止でき、良好な回転駆動が得られる。
特に、断面波形状の折曲成形の場合、ＴＭカバー部材３００の略全面に設けることが容易にでき、全体的な補強も容易に得られ、ＴＭカバー部材３００のさらなる肉薄形成による軽量化やコストの低減なども容易に得られる。【００３３】
さらに、補強部３１０としては、図７に示すように、開口縁３０２を光ディスク１０と反対側に折曲するなどしてもよい。
この図７に示す構成では、強度向上と併せて折返しにより下流側開口縁３０２Ａにおける光ディスク１０側の縁が曲面となり、光ディスク１０に向けた気流の発生による接触の防止効果も得られる。
なお、この図７に示す折返し形成としては、光ディスク１０側に折り返してもよい。【００３４】
また、補強部３１０としては、さらに折り返して、図８に示すように、肉厚状に形成してもよい。
この図８に示す構成では、折返しにより下流側開口縁３０２Ａが断面で湾曲面となり、光ディスク１０に向けた気流の発生による接触の防止効果も得られるとともに、開口縁３０２の例えばバリなどの処理が不要となり、製造性の向上も得られる。
なお、この図８に示す折返し形成としては、光ディスク１０側に折り返してもよい。【００３５】
さらに、肉厚の構成としては、図９に示すように、補強部材３１１を接着して補強部３１０を構成してもよい。
この図９に示すように、ディスク対向面３０３側に肉厚に形成することで、補強部３１０が反対側を移動する情報処理部２４０と干渉することを防止でき、特別に干渉しない配置構成や情報処理部２４０の形成をする必要がなく、従来の構成に容易に適用できる。特に、補強部材３１１を貼り付ける構成では、従来のＴＭカバー部材に貼り付けるのみでよく、容易に適用できる。
なお、この図９に示す補強部材３１１の貼り付けは、ディスク対向面３０３と反対側の面としてもよい。
また、補強部材３１１として、光ディスク１０と対向する面に、下流側開口縁３０２Ａ側から次第に肉厚となる傾斜面や段差部３１１などを設けて、光ディスク１０に向けて気流が生じるようにすると、さらに確実に接触による不都合の防止が得られる。【００３６】
また、下流側開口縁３０２Ａの位置のみに限らず、例えば図１０に示すように、開口縁３０２から若干離間する開口縁３０２（３０２Ａ）近傍に設けてもよい。
この図１０に示す構成によれば、上述したように、光ディスク１０の回転方向で多段に折曲される状態となり、より強度の向上が得られるとともに、段差部３１１が形成されてディスク対向面３０３から光ディスク１０に向けた気流も得られ、互いの近接による接触を防止できる。
なお、この図１０において、反対側に向けて突出するように形成してもよい。このことにより、上述したように、補強部３１０が光ディスク１０に対して離間する方向へ突出する状態に形成されることとなり、補強部３１０の接触を防止できる。【００３７】
さらに、補強部３１０としては、例えば図１１および図１２に示すように、段差状の補強部３１０を下流側開口縁３０２Ａから舌片状に突出する状態に形成してもよい。
特に、図１ないし図５に示す実施形態のように、光ディスク１０から離間する方向に段差状に形成することで、補強部３１０の接触防止、および段差部３１１による光ディスク１０に向けた気流の効果も得られる。【００３８】
また、ＴＭカバー部材３００を例えばアルミニウム合金などの軽量金属により形成する例を示したが、例えば従来のように鋼板などにより形成された構成であってもよい。
この場合でも、補強により、撓みなどで接触による不都合を防止できる。したがって、鋼板の肉薄形成による軽量化やコストの低減なども得られる。【００３９】
その他、本発明の実施の際の具体的な構造および手順は、本発明の目的を達成できる範囲で他の構造などに適宜変更できる。【００４０】
〔実施形態の効果〕
上記一実施形態によれば、ディスク装置１００におけるトラバースメカ２００のＴＭカバー部材３００に、補強部３１０を設けている。
このため、例えば光ディスク１０の情報処理を実施する際に光ディスク１０を高速回転させた際に生じ得る負圧状態により、ＴＭカバー部材３００の特に下流側開口縁３０２Ａ近傍が光ディスク１０に向けて撓んで接触することを防止できる。したがって、例えば光ディスク１０が接触により傷付くなどの損傷を生じることなく、光ディスク１０を良好に回転駆動させることができる。
【産業上の利用可能性】
【００４１】
本発明は、光ディスクなどのディスク状の記録媒体を回転可能に保持する記録媒体駆動装置、およびこの記録媒体駆動装置を備えたディスク装置に利用できる。
【図１】
2008032399.tif 000003
【図２】
2008032399.tif 000004
【図３】
2008032399.tif 000005
【図４】
2008032399.tif 000006
【図５】
2008032399.tif 000007
【図６】
2008032399.tif 000008
【図７】
2008032399.tif 000009
【図８】
2008032399.tif 000010
【図９】
2008032399.tif 000011
【図１０】
2008032399.tif 000012
【図１１】
2008032399.tif 000013
【図１２】
2008032399.tif 000014
【国際調査報告】
2008032399.tif 000015
2008032399.tif 000016
2008032399.tif 000017